(57)【要約】  【課題】  異なる解像度又は画面サイズの表示装置のそれぞれに対してサムネイル又は文字を見易く表示することが可能な表示処理装置及び表示処理方法を提供する。  【解決手段】  表示処理装置１は、カメラ２で撮影して記録媒体２５に記録してある画像信号を液晶テレビ３で再生させる場合、液晶テレビ３に表示されるサムネイルの表示サイズの選択を行なうメニュー画像を液晶テレビ３に表示させる。制御部１０は、メニュー画像に従ってユーザから表示サイズが選択された場合、記録媒体２５に記録してある各画像信号のサムネイルをカメラ２から取得し、取得した各サムネイルを、選択された表示サイズ及び該表示サイズに応じた個数に従って表示したメニュー画像を作成し、テレビ接続部１６から出力して液晶テレビ３に表示させる。【選択図】      図２
2006295652.tif 000002
【特許請求の範囲】
【請求項１】
表示装置との接続を行なう接続部と、サムネイル及び／又は文字データを含む表示用データを前記接続部から出力する出力手段とを備える表示処理装置において、
前記表示用データに含まれるサムネイルの表示サイズ及び／又は文字データのフォントサイズを複数表示したメニュー画像を前記接続部から出力する手段と、
前記メニュー画像に基づいてサムネイルの表示サイズ及び／又は文字データのフォントサイズを受け付ける受付手段とを備え、
前記出力手段は、前記受付手段が受け付けた表示サイズのサムネイル及び／又はフォントサイズの文字データを含む表示用データを前記接続部から出力するように構成してあることを特徴とする表示処理装置。
【請求項２】
前記受付手段が受け付けた表示サイズのサムネイル及び／又はフォントサイズの文字データを含む表示用データを作成する作成手段を備え、
前記出力手段は、前記作成手段が作成した表示用データを前記接続部から出力するように構成してあることを特徴とする請求項１に記載の表示処理装置。
【請求項３】
表示装置との接続を行なう複数の接続部と、表示用データを前記表示装置と接続された接続部から出力する出力手段とを備える表示処理装置において、
前記接続部のそれぞれに表示用データに係る表示条件を対応付けてあるテーブルと、
前記表示装置と接続された接続部を検出する検出手段と、
該検出手段が検出した接続部に対応する表示条件を前記テーブルに基づいて特定する特定手段とを備え、
前記出力手段は、前記特定手段が特定した表示条件に従った表示用データを前記接続部から出力するように構成してあることを特徴とする表示処理装置。
【請求項４】
前記表示条件は、前記表示用データに含まれるサムネイルの表示サイズ及び／又は文字データのフォントサイズを示しており、
前記出力手段は、前記特定手段が特定した表示条件が示す表示サイズのサムネイル及び／又はフォントサイズの文字データを含む表示用データを前記接続部から出力するように構成してあることを特徴とする請求項３に記載の表示処理装置。
【請求項５】
前記特定手段が特定した表示条件に従った表示用データを作成する作成手段を備え、
前記出力手段は、前記作成手段が作成した表示用データを前記接続部から出力するように構成してあることを特徴とする請求項３又は４に記載の表示処理装置。
【請求項６】
表示装置との接続を行なう接続部を備える表示処理装置が、サムネイル及び／又は文字データを含む表示用データを前記接続部から出力して前記表示装置に表示させる表示処理方法において、
前記表示用データに含まれるサムネイルの表示サイズ及び／又は文字データのフォントサイズを複数表示したメニュー画像を前記接続部から出力するステップと、
前記メニュー画像に基づいてサムネイルの表示サイズ及び／又は文字データのフォントサイズを受け付けるステップと、
受け付けた表示サイズのサムネイル及び／又はフォントサイズの文字データを含む表示用データを前記接続部から出力するステップと
を含むことを特徴とする表示処理方法。
【請求項７】
表示装置との接続を行なう複数の接続部と、該接続部のそれぞれに表示用データに係る表示条件を対応付けてあるテーブルとを備える表示処理装置が、表示用データを前記表示装置と接続された接続部から出力して前記表示装置に表示させる表示処理方法であって、
前記表示装置と接続された接続部を検出するステップと、
検出した接続部に対応する表示条件を前記テーブルに基づいて特定するステップと、
特定した表示条件に従った表示用データを前記接続部から出力するステップと
を含むことを特徴とする表示処理方法。
【発明の詳細な説明】
【技術分野】
【０００１】
本発明は、サムネイル又は文字データを含む表示用データを表示装置に表示させる表示処理装置及び表示処理方法に関する。
【背景技術】
【０００２】
静止画及び動画等を撮影して得られた画像を記録媒体に録画できるデジタルビデオカメラが普及しており、デジタルビデオカメラで撮影した画像を自身のモニタで再生させることができる。また、デジタルビデオカメラは、テレビジョン装置及びディスプレイ装置等の表示装置と、例えば接続ケーブルを介して接続できるように構成されており、録画した画像を表示装置へ転送して表示装置で再生させることができる。
【０００３】
このようなデジタルビデオカメラは、撮影した画像を自身のモニタ又は接続された表示装置で再生させる際に、記録媒体に録画してある各画像のサムネイルを表示するように構成されている場合が多い。これにより、ユーザは、デジタルビデオカメラで撮影して記録媒体に録画させた複数の画像から再生対象の画像を容易に選択することができる。なお、静止画のサムネイルは、例えば間引き処理によって各静止画を小型化した画像であり、動画のサムネイルは、例えば動画の先頭位置から所定時間後の画像（静止画）を例えば間引き処理によって小型化した画像である。
【０００４】
一方、記録媒体を内蔵した携帯型音楽プレーヤが普及しており、携帯型ＣＤプレーヤ又は携帯型ＭＤプレーヤ等と同様に利用されている。このような音楽プレーヤは、スピーカを備えたオーディオ装置と接続できるように構成されており、録音した音楽を自身のスピーカだけでなく、外部のオーディオ装置で再生させることもできる。このような音楽プレーヤは、音楽データと共に各音楽データのタイトル、アーティスト又はジャンル等の音楽情報も記録しており、録音した音楽を再生させる際に各音楽の音楽情報を自身のモニタ又はオーディオ装置のモニタに表示するように構成されている。これにより、ユーザは、音楽プレーヤに録音させた複数の音楽から再生対象を容易に選択することができる。
【０００５】
更に、大容量のハードディスクを内蔵した音楽プレーヤにおいて、音楽データと共に各音楽データのジャケット画像も記録できるように構成されたものがある。このような音楽プレーヤは表示装置と接続できるように構成することにより、録音した音楽を再生させる際に各音楽のジャケット画像を表示装置に表示させることができ、ユーザは、ジャケット画像に基づいて再生対象の音楽をより容易に選択することができる。
【特許文献１】特開２００４−１９４１４６号公報
【発明の開示】
【発明が解決しようとする課題】
【０００６】
しかし、上述したようなデジタルビデオカメラでは、１画面に表示させるサムネイルの数が予め設定されており、自身のモニタ又は接続された表示装置の解像度及び画面サイズに関わらず、１画面に表示されるサムネイルの数が同じである。従って、例えば、高解像度（大画面）の表示装置では各サムネイルの表示領域が大きくなり、低解像度（小画面）の表示装置では各サムネイルの表示領域が小さくなる。従って、表示装置の解像度によってはサムネイルが非常に見づらく表示されると共に、各表示装置における表示性能を十分に利用できていないという問題を有している。上述した音楽プレーヤにおいても同様に１画面に表示される音楽情報の数又はジャケット画像の数が予め設定されており、上述したデジタルビデオカメラと同様の問題を有している。
【０００７】
本発明は斯かる事情に鑑みてなされたものであり、その目的とするところは、表示装置に表示させる表示用データに含まれるサムネイルの表示サイズ又は文字データのフォントサイズを変更することにより、異なる解像度又は画面サイズの表示装置のそれぞれに対してサムネイル又は文字を見易く表示することができ、各種の表示装置における表示性能を十分に活用することが可能な表示処理装置及び表示処理方法を提供することにある。
【０００８】
本発明の他の目的は、表示装置に接続された接続部に基づいて前記表示装置に表示させる表示用データの表示条件を変更することにより、異なる解像度又は画面サイズの表示装置のそれぞれに対して表示用データを見易く表示することができ、接続される各種の表示装置における表示性能を十分に活用することが可能な表示処理装置及び表示処理方法を提供することにある。
【課題を解決するための手段】
【０００９】
本発明に係る表示処理装置は、表示装置との接続を行なう接続部と、サムネイル及び／又は文字データを含む表示用データを前記接続部から出力する出力手段とを備える表示処理装置において、前記表示用データに含まれるサムネイルの表示サイズ及び／又は文字データのフォントサイズを複数表示したメニュー画像を前記接続部から出力する手段と、前記メニュー画像に基づいてサムネイルの表示サイズ及び／又は文字データのフォントサイズを受け付ける受付手段とを備え、前記出力手段は、前記受付手段が受け付けた表示サイズのサムネイル及び／又はフォントサイズの文字データを含む表示用データを前記接続部から出力するように構成してあることを特徴とする。
【００１０】
本発明によれば、表示装置との接続が可能であり、接続された表示装置にサムネイル及び／又は文字データを含む表示用データを表示させる表示処理装置が、前記表示用データに含まれるサムネイルの表示サイズ及び／又は文字データのフォントサイズを複数表示したメニュー画像を表示装置に表示させる。また、表示処理装置は、前記メニュー画像に基づいてサムネイルの表示サイズ及び／又は文字データのフォントサイズを受け付け、受け付けた表示サイズのサムネイル及び／又はフォントサイズの文字データを含む表示用データを表示装置に表示させる。よって、表示装置に表示させる表示用データに含まれるサムネイルの表示サイズ又は文字データのフォントサイズを任意に変更することが可能となる。
【００１１】
本発明に係る表示処理装置は、前記受付手段が受け付けた表示サイズのサムネイル及び／又はフォントサイズの文字データを含む表示用データを作成する作成手段を備え、前記出力手段は、前記作成手段が作成した表示用データを前記接続部から出力するように構成してあることを特徴とする。
【００１２】
本発明によれば、表示処理装置は、メニュー画像に基づいて受け付けた表示サイズのサムネイル及び／又はフォントサイズの文字データを含む表示用データを作成し、作成した表示用データを表示装置に表示させる。よって、サムネイルの表示サイズ又は文字データのフォントサイズを変更した表示用データを適宜作成して表示装置に表示させることが可能となる。
【００１３】
本発明に係る表示処理装置は、表示装置との接続を行なう複数の接続部と、表示用データを前記表示装置と接続された接続部から出力する出力手段とを備える表示処理装置において、前記接続部のそれぞれに表示用データに係る表示条件を対応付けてあるテーブルと、前記表示装置と接続された接続部を検出する検出手段と、該検出手段が検出した接続部に対応する表示条件を前記テーブルに基づいて特定する特定手段とを備え、前記出力手段は、前記特定手段が特定した表示条件に従った表示用データを前記接続部から出力するように構成してあることを特徴とする。
【００１４】
本発明によれば、表示装置との接続を行なう複数の接続部を備え、表示装置と接続された接続部から表示用データを出力して表示させる表示処理装置が、前記接続部のそれぞれに表示用データに係る表示条件を対応付けてあるテーブルを有している。また、表示処理装置は、表示装置と接続されている接続部を検出し、検出した接続部に対応する表示条件を前記テーブルに基づいて特定し、特定した表示条件に従った表示用データを接続してある表示装置に表示させる。よって、表示装置の種類に応じて表示装置と接続される接続部が異なることを利用し、表示装置に接続された接続部に基づいて前記表示装置に表示させる表示用データの表示条件を変更することが可能となる。
【００１５】
本発明に係る表示処理装置は、前記表示条件は、前記表示用データに含まれるサムネイルの表示サイズ及び／又は文字データのフォントサイズを示しており、前記出力手段は、前記特定手段が特定した表示条件が示す表示サイズのサムネイル及び／又はフォントサイズの文字データを含む表示用データを前記接続部から出力するように構成してあることを特徴とする。
【００１６】
本発明によれば、表示装置と接続されている接続部に応じて変更する表示条件が、表示用データに含まれるサムネイルの表示サイズ及び／又は文字データのフォントサイズであり、検出した接続部に対応する表示サイズのサムネイル及び／又は文字データのフォントサイズを含む表示用データを表示装置に表示させることが可能となる。よって、接続された表示装置の種類に応じて表示用データに含まれるサムネイルの表示サイズ及び／又は文字データのフォントサイズを変更することが可能となる。
【００１７】
本発明に係る表示処理装置は、前記特定手段が特定した表示条件に従った表示用データを作成する作成手段を備え、前記出力手段は、前記作成手段が作成した表示用データを前記接続部から出力するように構成してあることを特徴とする。
【００１８】
本発明によれば、表示処理装置は、表示装置と接続されている接続部に基づいて特定した表示条件に従った表示用データを作成し、作成した表示用データを表示装置に表示させる。よって、例えばサムネイルの表示サイズ又は文字データのフォントサイズ等の表示条件を変更した表示用データを適宜作成して表示装置に表示させることが可能となる。
【００１９】
本発明に係る表示処理方法は、表示装置との接続を行なう接続部を備える表示処理装置が、サムネイル及び／又は文字データを含む表示用データを前記接続部から出力して前記表示装置に表示させる表示処理方法において、前記表示用データに含まれるサムネイルの表示サイズ及び／又は文字データのフォントサイズを複数表示したメニュー画像を前記接続部から出力するステップと、前記メニュー画像に基づいてサムネイルの表示サイズ及び／又は文字データのフォントサイズを受け付けるステップと、受け付けた表示サイズのサムネイル及び／又はフォントサイズの文字データを含む表示用データを前記接続部から出力するステップとを含むことを特徴とする。
【００２０】
本発明によれば、表示用データに含まれるサムネイルの表示サイズ又は文字データのフォントサイズを複数表示したメニュー画像に基づいて、表示装置に表示させる表示用データに含まれるサムネイルの表示サイズ又は文字データのフォントサイズを任意に変更することが可能となる。
【００２１】
本発明に係る表示処理方法は、表示装置との接続を行なう複数の接続部と、該接続部のそれぞれに表示用データに係る表示条件を対応付けてあるテーブルとを備える表示処理装置が、表示用データを前記表示装置と接続された接続部から出力して前記表示装置に表示させる表示処理方法であって、前記表示装置と接続された接続部を検出するステップと、検出した接続部に対応する表示条件を前記テーブルに基づいて特定するステップと、特定した表示条件に従った表示用データを前記接続部から出力するステップとを含むことを特徴とする。
【００２２】
本発明によれば、表示装置との接続を行なう接続部の種類に応じて表示用データに係る表示条件を対応付けてあるテーブルを用い、表示装置に接続されている接続部に応じて、表示装置に表示させる表示用データの表示条件を任意に変更することが可能となる。
【発明の効果】
【００２３】
本発明では、表示装置との接続が可能であり、接続された表示装置にサムネイル及び／又は文字データを含む表示用データを表示させる表示処理装置が、サムネイルの表示サイズ及び／又は文字データのフォントサイズを複数表示したメニュー画像に基づいて、サムネイルの表示サイズ及び／又は文字データのフォントサイズを受け付け、受け付けた表示サイズのサムネイル及び／又はフォントサイズの文字データを含む表示用データを表示装置に表示させる。よって、表示装置に表示させる表示用データに含まれるサムネイルの表示サイズ又は文字データのフォントサイズを任意に変更することができ、異なる解像度又は画面サイズの表示装置のそれぞれに対してサムネイル又は文字を見易く表示することができると共に、接続される各種の表示装置における表示性能を十分に活用することができる。
【００２４】
本発明では、メニュー画像に基づいて受け付けた表示サイズのサムネイル及び／又はフォントサイズの文字データを含む表示用データを作成し、作成した表示用データを表示装置に表示させる。よって、サムネイルの表示サイズ又は文字データのフォントサイズを変更した表示用データを適宜作成することができ、各種の表示装置のそれぞれに応じてサムネイル又は文字を見易く表示することができる
【００２５】
本発明では、表示装置との接続を行なう複数の接続部を備え、表示装置と接続された接続部から表示用データを出力して表示させる表示処理装置が、表示装置と接続されている接続部を検出し、検出した接続部に対応する表示条件を、前記接続部に応じて表示用データに係る表示条件を対応付けてあるテーブルに基づいて特定し、特定した表示条件に従った表示用データを前記表示装置に表示させる。よって、表示装置に接続された接続部に基づいて前記表示装置に表示させる表示用データの表示条件を変更することができ、異なる解像度又は画面サイズの表示装置のそれぞれに対して表示用データを見易く表示することができると共に、接続される各種の表示装置における表示性能を十分に活用することができる。
【００２６】
本発明では、表示装置に接続された接続部に基づいて前記表示装置に表示させる表示用データに含まれるサムネイルの表示サイズ及び／又は文字データのフォントサイズを変更することができるので、異なる解像度又は画面サイズの表示装置のそれぞれに対してサムネイル又は文字を見易く表示することができると共に、接続される各種の表示装置における表示性能を十分に活用することができる。
【００２７】
本発明では、表示装置に接続された接続部に基づいて特定した表示条件に従った表示用データを作成し、作成した表示用データを表示装置に表示させる。よって、例えばサムネイルの表示サイズ又は文字データのフォントサイズ等の表示条件を変更した表示用データを適宜作成することができ、各種の表示装置のそれぞれに応じてサムネイル又は文字を見易く表示することができる
【発明を実施するための最良の形態】
【００２８】
以下に、本発明に係る表示処理装置をその実施形態を示す図面に基づいて詳述する。なお、以下の各実施形態で示す表示処理装置は、ＵＳＢケーブルとの接続が可能な機器とＵＳＢケーブルを介して接続され、映像信号用の映像ケーブル及び音声信号用の音声ケーブルを介して液晶表示テレビジョン装置（以下、液晶テレビという）と接続されて利用される。
【００２９】
（実施形態１）
図１は本発明に係る表示処理装置を用いた表示システムの構成例を示す模式図である。本実施形態１では、表示処理装置１は、ＵＳＢケーブル１００を介してデジタルビデオカメラ（以下、カメラという）２と接続されており、映像ケーブル及び音声ケーブルを介して液晶テレビ（表示装置）３と接続されている。従って、本実施形態１の表示処理装置１は、カメラ２で録画した画像を液晶テレビ３で再生させる処理を行なうセットトップボックスとして機能する。
【００３０】
また、表示処理装置１は、リモートコントロール入力装置（以下、リモコン装置という）１ａによって遠隔からの操作が可能に構成されている。表示処理装置１とリモコン装置１ａとは、例えば、赤外線を利用したＩｒＤＡ（Infrared Data Association）規格に従う無線通信が可能に構成されている。なお、表示処理装置１とリモコン装置１ａとを、赤外線を利用した無線通信だけでなく、例えば、ＩＥＥＥ８０２．１１ｂ規格に準拠した無線ＬＡＮ、及びBluetooth規格に従う無線通信等の無線通信が可能に接続してもよい。
【００３１】
液晶テレビ３は、表示面の中央位置に液晶ディスプレイ（ＬＣＤ）で構成された表示部３０を、表示部３０の左右位置のそれぞれにスピーカ３１ａ，３１ｂを備えている。液晶テレビ３は、図示しないアンテナで受信した電波に基づいて自身のチューナ（図示せず）で放送番組の番組信号を取得しており、取得した番組信号の映像信号を表示部３０に表示させ、取得した番組信号の音声信号をスピーカ３１ａ，３１ｂから音声出力させる。また、液晶テレビ３は、自身のチューナで取得した番組信号だけでなく、表示処理装置１から転送されてくる映像信号を表示部３０に表示させ、表示処理装置１から転送されてくる音声信号をスピーカ３１ａ，３１ｂから音声出力させることもできる。
【００３２】
図２は実施形態１の表示システムの構成例を示すブロック図である。カメラ２は、制御部２０、Ａ／Ｄ変換器２２、信号処理部２３、画像処理部２４、記録媒体２５、操作部２６、表示部２７、ＵＳＢケーブル１００との接続を行なうＵＳＢ接続部２８等を備えており、それぞれはシステムバス２ａを介して相互に接続されている。
【００３３】
制御部２０は、例えばＣＰＵ（Central Processing Unit ）、ＲＯＭ、ＲＡＭ等により構成されており、システムバス２ａを介して接続される上述したようなハードウェア各部を制御すると共に、ＲＯＭに予め格納されている制御プログラムに従って種々の動作を実行する。なお、ＲＡＭは、ＳＲＡＭ又はフラッシュメモリ等で構成され、ＣＰＵによる制御プログラムの実行時に発生するデータを一時的に記憶する。
【００３４】
Ａ／Ｄ変換器２２には撮像部２１が接続されている。撮像部２１は、ＣＣＤを介して入力された光信号を光電変換することによりアナログの画像信号を生成してＡ／Ｄ変換器２２へ出力する。Ａ／Ｄ変換器２２は、撮像部２１から取得したアナログの画像信号を所定の増幅率で増幅する増幅器（図示せず）、増幅された画像信号を一定のタイミング毎にサンプリングする相関二重サンプリング機能（ＣＤＳ）等を内蔵しており、ＣＤＳによるサンプリング処理により得られた各値をデジタル信号に変換し、得られたデジタルの画像信号を信号処理部２３へ出力する。
【００３５】
信号処理部２３は、撮像部２１で撮像して得られた画像信号に対して、例えばガンマ補正処理、フィルタリング処理、輪郭強調処理等の所定の信号処理を実行し、生成した画像信号を画像処理部２４へ出力する。画像処理部２４は、例えばＭＰＥＧ（Moving Picture Expert Group）方式に基づく圧縮処理及び伸長処理を行なうコーデックを備えており、信号処理部２３から取得した画像信号に所定の圧縮処理を実行し、記録媒体２５に格納させる。なお、画像処理部２４は、自身に接続されたメモリ２４ａを圧縮処理及び伸長処理の際のバッファとして利用する。また、信号処理部２３によって所定の信号処理が施された画像信号を表示部２７へ出力して表示部２７に表示させることもできる。
【００３６】
記録媒体２５は、ＨＤＤ、光ディスク又はメモリカード等により構成されており、画像処理部２４によって圧縮処理を施された圧縮画像信号をそれぞれファイル単位で記憶する。記録媒体２５に記録された圧縮画像信号は、制御部２０による制御に従って読み出され、画像処理部２４又はＵＳＢ接続部２８へ出力される。ＵＳＢ接続部２８へ出力された圧縮画像信号は、ＵＳＢケーブル１００を介して表示処理装置１へ転送され、画像処理部２４へ出力された圧縮画像信号は、画像処理部２４によって伸長処理を施された後に表示部２７へ出力されて表示部２７に表示される。
【００３７】
操作部２６は、カメラ２をユーザが操作するために必要な各種のキーを備えており、ユーザにより各キーが操作された場合、操作されたキーに対応した制御信号を制御部２０へ送出する。制御部２０は操作部２６から取得した制御信号に従って各種処理を実行し、これにより、カメラ２は、操作部２６を操作するユーザからの指示に従った動作を行なうことができる。
【００３８】
表示部２７は、複数の液晶素子を２次元マトリクス状に配列してなる液晶表示パネルにより構成されており、カメラ２の動作状況、ユーザに通知すべき情報、信号処理部２３によって所定の信号処理を施された画像信号、記録媒体２５から読み出されて画像処理部２４によって所定の伸長処理を施された画像信号等を表示する。なお、表示部２７をタッチパネル方式のものとすることにより、操作部２６の各種のキーのうちの一部又は全部を代用することも可能である。
【００３９】
上述した構成によって、カメラ２は、例えばユーザが操作部２６のシャッターボタン（図示せず）を操作した場合、撮像部２１によりアナログの静止画像信号を取得し、Ａ／Ｄ変換器２２及び信号処理部２３により所定の信号処理を実行することによって静止画を生成する静止画撮像機能、例えばユーザが操作部２６の録画ボタン（図示せず）を操作した場合、ユーザにより録画停止ボタン（図示せず）が操作されるまで、撮像部２１により例えば１秒当たり３０枚の静止画像信号を取得し、順次Ａ／Ｄ変換器２２及び信号処理部２３により所定の信号処理を実行することによって動画を生成する動画撮像機能を有する。
【００４０】
また、カメラ２は、上述したように撮像して得られた画像信号（静止画像信号、動画像信号）を記録媒体２５に蓄積する蓄積機能、撮像して得られた画像信号または記録媒体２５に記録してある画像信号を表示部２７で表示する表示機能、記録媒体２５に蓄積してある圧縮画像信号をＵＳＢケーブル１００を介して外部の表示処理装置１へ送信する機能を有する。
【００４１】
更に、カメラ２は、記録媒体２５に記録してある画像信号を表示部２７で表示する場合、又は画像信号をＵＳＢ接続部２８から外部へ出力する場合、各画像信号のサムネイルを表示部２７に表示させる。なお、記録媒体２５に記録してある画像信号が静止画の場合には例えば間引き処理を行なって生成した画像信号をサムネイルとし、記録媒体２５に記録してある画像信号が動画の場合には、それぞれの動画像における先頭の画像信号又は所定時間が経過した時点での画像信号に間引き処理を行なって生成した画像信号をサムネイルとして用いる。また、画像信号のサムネイルは、制御部２０のＲＯＭに予め格納してある制御プログラムに従ってＣＰＵが必要に応じて生成するようにしてもよいし、予めＣＰＵによって生成しておき、記録媒体２５に各画像信号と共に記憶させておいてもよい。
【００４２】
表示処理装置１は、図２に示すように、制御部１０、ＲＯＭ１１、ＲＡＭ１２、操作部１３、画像処理部１４、ＵＳＢケーブル１００との接続を行なうＵＳＢ接続部１５、液晶テレビ３との接続を行なうテレビ接続部（接続部）１６、リモコンコード解析部１７、リモコン装置１ａからの赤外線を受光する赤外線受光部１８等を備えており、それぞれはシステムバス１０ａを介して相互に接続されている。
【００４３】
制御部１０は、例えばＣＰＵにより構成されており、システムバス１０ａを介して接続される上述したようなハードウェア各部を制御すると共に、ＲＯＭ１１に予め格納されている制御プログラムを適宜ＲＡＭ１２に読み出して実行する。ＲＯＭ１１は、表示処理装置１を本発明に係る表示処理装置として動作させるために必要な種々の制御プログラム及び表示処理装置１における各種のメニュー画像を予め記憶している。ＲＡＭ１２は、ＳＲＡＭ又はフラッシュメモリ等で構成され、制御部１０による制御プログラムの実行時に発生するデータを一時的に記憶する。
【００４４】
操作部１３は、表示処理装置１をユーザが操作するために必要な各種のキーを備えており、ユーザにより各キーが操作された場合、操作されたキーに対応した制御信号を制御部１０へ送出し、制御部１０は取得した制御信号に従って各種処理を実行する。赤外線受光部１８は、リモコン装置１ａからの赤外線を受光して所定の電気信号に変換し、得られた電気信号をリモコンコード解析部１７へ出力する。リモコンコード解析部１７は、赤外線受光部１８から取得した電気信号を解析し、リモコン装置１ａから入力された制御信号を取得し、取得した制御信号制御部１０へ送出する。従って、制御部１０は、リモコン装置１ａから送信されてリモコンコード解析部１７によって解析された制御信号に従って各種処理を実行する。なお、リモコン装置１ａには、例えば十字キー、決定キー及びクリアキー等が設けられている。
【００４５】
画像処理部１４は、例えばＭＰＥＧ方式に基づく圧縮処理及び伸長処理を行なうコーデックを備えており、ＵＳＢ接続部１５がカメラ２から取得した圧縮画像信号に所定の伸長処理を実行し、生成した画像信号をテレビ接続部１６から液晶テレビ３へ出力し、液晶テレビ３に表示させる。なお、画像処理部１４は、自身に接続されたメモリ１４ａを伸長処理の際のバッファとして利用する。
【００４６】
ここで、表示処理装置１は、カメラ２で録画した画像を液晶テレビ３で再生させる機能のほかに、例えばＤＶＤプレーヤ又はＨＤＤプレーヤとしての機能も搭載することができる。この場合、表示処理装置１は、上述したような構成のほかにＤＶＤドライバ、ＨＤＤ、放送番組の番組信号を取得するためのチューナ等を有することは言うまでもない。
【００４７】
上述した構成の表示システムにおいて、カメラ２で撮影して記録媒体２５に記録してある画像信号を液晶テレビ３で再生させる場合、表示処理装置１は、記録媒体２５に記録してある各画像信号のサムネイルを液晶テレビ３に表示させる。また、本実施形態の表示処理装置１は、液晶テレビ３にサムネイルを表示させる際に、ユーザによる選択に従ってサムネイルの表示サイズを変更できるように構成されている。
【００４８】
具体的には、カメラ２及び液晶テレビ３に接続された表示処理装置１において、ユーザがリモコン装置１ａを操作することによってカメラ２の記録媒体２５に記録してある画像信号を液晶テレビ３で再生させる指示を受け付けた場合、制御部１０は、ＲＯＭ１１に格納してあるメニュー画像を読み出してテレビ接続部１６へ出力し、図３に示すようなメニュー画像を液晶テレビ３に表示させる。
【００４９】
図３は液晶テレビ３に表示されるメニュー画像の構成例を示す模式図である。図３に示すメニュー画像は、これから液晶テレビ３に表示されるサムネイルの表示サイズを「大きめ」、「普通」、「小さめ」から選択するための表示画面である。ユーザは、このメニュー画像に従って、リモコン装置１ａの上下キーを操作することによって表示サイズを選択し、決定キーを操作することによって所望の表示サイズを特定することができる。
【００５０】
このようなメニュー画像に従ってユーザが決定キーを操作した場合、制御部１０は、サムネイルの表示サイズを受け付ける受付手段として動作し、受け付けた表示サイズのサムネイルを含むメニュー画像（表示用データ）を作成する作成手段として動作する。具体的には、制御部１０は、サムネイルの表示サイズを受け付けた場合、カメラ２の記録媒体２５に記録してある各画像信号のサムネイルをカメラ２から取得し、取得した各サムネイルを、受け付けた表示サイズ及び該表示サイズに応じた個数に従って表示したメニュー画像を作成する。
【００５１】
なお、各表示サイズのサムネイルは、上述したように必要に応じて表示処理装置１の制御部１０が作成してもよいし、カメラ２の制御部２０が「大きめ」、「普通」、「小さめ」の各表示サイズに対応して予め作成して記録媒体２５に格納しておいてもよい。後者の場合、表示処理装置１の制御部１０は、受け付けた表示サイズのサムネイルをカメラ２から取得し、取得した各サムネイルを、予めＲＯＭ１１に格納してあるメニュー画像に合成させればよい。また、制御部（出力手段）１０は、作成したメニュー画像をテレビ接続部１６へ出力して液晶テレビ３に表示させる。
【００５２】
図４及び図５は実施形態１の表示処理装置１を用いることによる効果を説明するための模式図である。上述したように、ユーザによって選択されたサムネイルの表示サイズに従って各画像信号のサムネイルを表示させることにより、従来の装置では、図４（ａ）に示すように１つのメニュー画像に３×３個のサムネイルを表示するようにサムネイルの個数が固定されていたのに対して、本実施形態１の表示処理装置１では、図４（ｂ）に示すように１つのメニュー画像に２×２個のサムネイルを表示させることができる。これは、例えば解像度が低く、画面サイズが小さい液晶テレビ３にメニュー画像を表示させる場合に、ユーザがサムネイルの表示サイズに「大きめ」を選択することにより、メニュー画像中のサムネイルの個数を少なくし、１つのサムネイルの表示サイズを大きくすることができる。
【００５３】
また、従来の装置では、図５（ａ）に示すように１つのメニュー画像に３×３個のサムネイルを表示するようにサムネイルの個数が固定されていたのに対して、本実施形態１の表示処理装置１では、図５（ｂ）に示すように１つのメニュー画像に４×４個のサムネイルを表示させることができる。これは、例えば解像度が高く、画面サイズが大きい液晶テレビ３にメニュー画像を表示させる場合に、ユーザがサムネイルの表示サイズに「小さめ」を選択することにより、メニュー画像中のサムネイルの個数を多くし、１つのサムネイルの表示サイズを小さくすることができる。
【００５４】
ユーザは、図４（ｂ）又は図５（ｂ）に示すメニュー画像に従って、リモコン装置１ａの十字キーを操作することによって液晶テレビ３で再生させたい画像信号を選択し、決定キーを操作することによって所望の画像信号を特定することができる。図４（ｂ）又は図５（ｂ）に示すメニュー画像において、ユーザが決定キーを操作した場合、制御部１０は、ユーザによって選択された画像信号をカメラ２から取得し、取得した画像信号をテレビ接続部１６へ出力して液晶テレビ３で再生させる。
【００５５】
このように、液晶テレビ３の解像度及び画面サイズによってユーザがサムネイルの表示サイズを適切に選択することにより、各種の液晶テレビ３のそれぞれに対してサムネイルを見易く表示することができるので、表示処理装置１に接続される各種の液晶テレビ３における表示性能を十分に活用することができる。
【００５６】
以下に、上述した構成の表示システムにおいて、カメラ２の記録媒体２５に記録してある各画像信号を液晶テレビ３で再生させる処理についてフローチャートを参照しながら説明する。図６は実施形態１の表示システムによる画像信号の再生処理の手順を示すフローチャートである。なお、処理手順は一例でありこれに限るものではない。また、以下の処理は、表示処理装置１のＲＯＭ１１に格納されている制御プログラムに従って制御部１０が実行する。
【００５７】
カメラ２及び液晶テレビ３に接続されている表示処理装置１において、制御部１０は、ユーザがリモコン装置１ａを操作することによってカメラ２の記録媒体２５に記録してある画像信号の再生指示を受け付けたか否かを判断しており（Ｓ１）、受け付けていない場合（Ｓ１：ＮＯ）、通常動作を行なって待機する。制御部１０は、再生指示を受け付けたと判断した場合（Ｓ１：ＹＥＳ）、ＲＯＭ１１に格納してあるメニュー画像を読み出してテレビ接続部１６へ出力し、図３に示すようなメニュー画像を液晶テレビ３に表示させる（Ｓ２）。
【００５８】
制御部１０は、図３に示すメニュー画像に従ってユーザによって決定キーが操作されたか否かを判断しており（Ｓ３）、決定キーが操作されていない場合（Ｓ３：ＮＯ）、図３に示すメニュー画像の表示を継続する（Ｓ２）。制御部１０は、決定キーが操作されたと判断した場合（Ｓ３：ＹＥＳ）、カメラ２の記録媒体２５に記録してある各画像信号のサムネイルをカメラ２から取得する（Ｓ４）。なお、各画像信号のサムネイルは、カメラ２の制御部２０によって生成されてもよいし、予め記録媒体２５に記録されていてもよい。
【００５９】
表示処理装置１の制御部１０は、カメラ２から取得した各サムネイルを、図３に示すメニュー画像からユーザが選択した表示サイズ及び該表示サイズに応じた個数に従って表示したメニュー画像を作成し（Ｓ５）、作成したメニュー画像をテレビ接続部１６へ出力し、図４（ｂ）又は図５（ｂ）に示すようなメニュー画像を液晶テレビ３に表示させる（Ｓ６）。
【００６０】
制御部１０は、図４（ｂ）又は図５（ｂ）に示すメニュー画像に従ってユーザが決定キーを操作することによって再生すべき画像信号が選択されたか否かを判断しており（Ｓ７）、選択されていないと判断した場合（Ｓ７：ＮＯ）、図４（ｂ）又は図５（ｂ）に示すメニュー画像の表示を継続する（Ｓ６）。制御部１０は、再生すべき画像信号が選択されたと判断した場合（Ｓ７：ＹＥＳ）、ユーザによって選択された画像信号をカメラ２から取得し（Ｓ８）、取得した画像信号をテレビ接続部１６へ出力して液晶テレビ３に表示させる（Ｓ９）。
【００６１】
（実施形態２）
以下に、実施形態２に係る表示システムについて説明する。本実施形態２では、表示処理装置１は、ＵＳＢケーブル１００を介して音楽プレーヤと接続され、映像ケーブル及び音声ケーブルを介して液晶テレビ３と接続されており、音楽プレーヤに記録された音楽データを液晶テレビ３のスピーカ３１ａ，３１ｂで再生させる処理を行なう。図７は実施形態２の表示システムの構成例を示すブロック図である。なお、本実施形態２の表示処理装置１、リモコン装置１ａ及び液晶テレビ３については、上述した実施形態１と同様の構成であるので、同一の符号を付して説明を省略する。
【００６２】
音楽プレーヤ４は、制御部４０、音声出力部４１、記録媒体４２、操作部４３、表示部４４、ＵＳＢケーブル１００との接続を行なうＵＳＢ接続部４５等を備えており、それぞれはシステムバス４ａを介して相互に接続されている。制御部４０は、例えばＣＰＵ、ＲＯＭ、ＲＡＭ等により構成されており、システムバス４ａを介して接続される上述したようなハードウェア各部を制御すると共に、ＲＯＭに予め格納されている制御プログラムに従って種々の動作を実行する。なお、ＲＡＭは、ＳＲＡＭ又はフラッシュメモリ等で構成され、ＣＰＵによる制御プログラムの実行時に発生するデータを一時的に記憶する。
【００６３】
音声出力部４１は、記録媒体４２に記録してある音声データに基づく音声を出力するように構成されており、音声デコーダ、Ｄ／Ａ変換器、アナログ増幅器及びスピーカ（全て図示せず）等を備えている。音声出力部４１は、制御部４０による制御に従って記録媒体４２から読み出された音声データを音声デコーダでデジタルの音声信号にデコードし、生成した音声信号をＤ／Ａ変換器でアナログ信号に変換し、アナログ増幅器によって所定の大きさに増幅させた後にスピーカから再生出力する。
【００６４】
記録媒体４２は、ＨＤＤ、光ディスク又はメモリカード等により構成されており、例えばＵＳＢケーブル１００を介して接続されたＰＣから取得した音楽データをそれぞれファイル単位で記憶する。なお、記録媒体４２には、音楽データと共に各音楽データのタイトル、アーティスト、ジャンル等の音楽情報も記憶される。記録媒体４２に記録された音楽データは、制御部４０による制御に従って読み出され、音声出力部４１又はＵＳＢ接続部４５へ出力される。ＵＳＢ接続部４５へ出力された音声データはＵＳＢケーブル１００を介して表示処理装置１へ転送され、音声出力部４１へ出力された音声データは音声出力部４１のスピーカから出力される。
【００６５】
操作部４３は、音楽プレーヤ４をユーザが操作するために必要な各種のキーを備えており、ユーザにより各キーが操作された場合、操作されたキーに対応した制御信号を制御部４０へ送出する。制御部４０は操作部４３から取得した制御信号に従って各種処理を実行し、これにより、音楽プレーヤ４は、操作部４３を操作するユーザからの指示に従った動作を行なうことができる。表示部４４は、例えば液晶表示パネルで構成されており、音楽プレーヤ４の動作状況、操作部４３を通じて入力された各種の情報、ユーザに通知すべき情報等を表示する。なお、表示部４４をタッチパネル方式のものとすることにより、操作部４３の各種のキーのうちの一部又は全部を代用することも可能である。
【００６６】
上述した構成の音楽プレーヤ４は、記録媒体４２に記録してある音楽データを音声出力部４１から再生させる場合、又は音楽データをＵＳＢ接続部４５から外部へ出力する場合、各音楽データの音楽情報を表示部４４に表示させることができる。これにより、ユーザは、各音楽データのタイトル、アーティスト、ジャンル等の音楽情報に基づいて所望の音楽データを容易に選択することができる。
【００６７】
また、上述した構成の音楽プレーヤ４が表示処理装置１に接続された表示システムにおいて、音楽プレーヤ４に記録してある音楽データを液晶テレビ３へ出力して液晶テレビ３のスピーカ３１ａ，３１ｂで再生させる場合、表示処理装置１は、音楽プレーヤ４の記録媒体４２に記録してある各音楽データのタイトル（音楽情報）を液晶テレビ３の表示部３０に表示させる。また、本実施形態２の表示処理装置１は、液晶テレビ３にタイトルを表示させる際に、ユーザによる選択に従ってタイトル（文字データ）のフォントサイズを変更できるように構成されている。
【００６８】
具体的には、音楽プレーヤ４及び液晶テレビ３に接続された表示処理装置１において、ユーザがリモコン装置１ａを操作することによって音楽プレーヤ４の記録媒体４２に記録してある音楽データを液晶テレビ３のスピーカ３１ａ，３１ｂで再生させる指示を受け付けた場合、制御部１０は、ＲＯＭ１１に格納してあるメニュー画像を読み出してテレビ接続部１６へ出力し、図８に示すようなメニュー画像を液晶テレビ３に表示させる。
【００６９】
図８は液晶テレビ３に表示されるメニュー画像の構成例を示す模式図である。図８に示すメニュー画像は、これから液晶テレビ３に表示される各音楽データのタイトルのフォントサイズを「大きめ」、「普通」、「小さめ」から選択するための表示画面である。ユーザは、このメニュー画像に従って、リモコン装置１ａの上下キーを操作することによってフォントサイズを選択し、決定キーを操作することによって所望のフォントサイズを特定することができる。
【００７０】
このようなメニュー画像に従ってユーザが決定キーを操作した場合、制御部１０は、タイトルのフォントサイズを受け付ける受付手段として動作し、受け付けたフォントサイズでタイトルを表示するメニュー画像（表示用データ）を作成する作成手段として動作する。具体的には、制御部１０は、タイトルのフォントサイズを受け付けた場合、音楽プレーヤ４の記録媒体４２に記録してある各音楽データのタイトルを音楽プレーヤ４から取得し、取得した各タイトルを、受け付けたフォントサイズ及び該フォントサイズに応じた個数に従って表示したメニュー画像を作成する。
【００７１】
なお、各フォントサイズのタイトルは、上述したように必要に応じて表示処理装置１の制御部１０が作成してもよいし、音楽プレーヤ４の図示しないメモリに「大きめ」、「普通」、「小さめ」の各フォントサイズに対応して図示しないメモリに格納しておいてもよい。後者の場合、表示処理装置１の制御部１０は、受け付けたフォントサイズのタイトルを音楽プレーヤ４から取得し、取得した各タイトルを、予めＲＯＭ１１に格納してあるメニュー画像に合成させればよい。また、制御部（出力手段）１０は、作成したメニュー画像をテレビ接続部１６へ出力して液晶テレビ３に表示させる。
【００７２】
図９及び図１０は実施形態２の表示処理装置１を用いることによる効果を説明するための模式図である。上述したように、ユーザによって選択されたフォントサイズに従って各タイトルを表示させることにより、従来の装置では、図９（ａ）に示すように１つのメニュー画像に５個のタイトルを表示するようにタイトルの表示個数が固定されていたのに対して、本実施形態２の表示処理装置１では、図９（ｂ）に示すように１つのメニュー画像に３個のタイトルを表示させることができる。これは、例えば解像度が低く、画面サイズが小さい液晶テレビ３にメニュー画像を表示させる場合に、ユーザがタイトルのフォントサイズに「大きめ」を選択することにより、メニュー画像中のタイトルの表示個数を少なくし、１つのタイトルの表示領域を大きくすることができる。
【００７３】
また、従来の装置では、図１０（ａ）に示すように１つのメニュー画像に５個のタイトルを表示するようにタイトルの表示個数が固定されていたのに対して、本実施形態２の表示処理装置１では、図１０（ｂ）に示すように１つのメニュー画像に７個のタイトルを表示させることができる。これは、例えば解像度が高く、画面サイズが大きい液晶テレビ３にメニュー画像を表示させる場合に、ユーザがタイトルのフォントサイズに「小さめ」を選択することにより、メニュー画像中のタイトルの表示個数を多くし、１つのタイトルの表示領域を小さくすることができる。
【００７４】
ユーザは、図９（ｂ）又は図１０（ｂ）に示すメニュー画像に従って、リモコン装置１ａの十字キーを操作することによってスピーカ３１ａ，３１ｂで再生させたい音楽データを選択し、決定キーを操作することによって所望の音楽データを特定することができる。図９（ｂ）又は図１０（ｂ）に示すメニュー画像において、ユーザが決定キーを操作した場合、制御部１０は、ユーザによって選択された音楽データを音楽プレーヤ４から取得し、取得した音楽データをテレビ接続部１６へ出力して液晶テレビ３のスピーカ３１ａ，３１ｂで再生させる。
【００７５】
このように、液晶テレビ３の解像度及び画面サイズによってユーザが、液晶テレビ３に表示される音楽データのタイトルのフォントサイズを適切に選択することにより、各種の液晶テレビ３のそれぞれに対して音楽データのタイトルを見易く表示することができるので、表示処理装置１に接続される各種の液晶テレビ３における表示性能を十分に活用することができる。なお、図９及び図１０には、各音楽データのタイトルを表示する構成を示したが、タイトルだけでなく、各音楽データのアーティスト、ジャンル等も表示するようにしてもよい。
【００７６】
以下に、上述した構成の表示システムにおいて、音楽プレーヤ４の記録媒体４２に記録してある各音楽データを液晶テレビ３のスピーカ３１ａ，３１ｂで再生させる処理についてフローチャートを参照しながら説明する。図１１は実施形態２の表示システムによる音楽データの再生処理の手順を示すフローチャートである。なお、処理手順は一例でありこれに限るものではない。また、以下の処理は、表示処理装置１のＲＯＭ１１に格納されている制御プログラムに従って制御部１０が実行する。
【００７７】
音楽プレーヤ４及び液晶テレビ３に接続されている表示処理装置１において、制御部１０は、ユーザがリモコン装置１ａを操作することによって音楽プレーヤ４の記録媒体４２に記録してある音楽データのスピーカ３１ａ，３１ｂでの再生指示を受け付けたか否かを判断しており（Ｓ１１）、受け付けていない場合（Ｓ１１：ＮＯ）、通常動作を行なって待機する。制御部１０は、再生指示を受け付けたと判断した場合（Ｓ１１：ＹＥＳ）、ＲＯＭ１１に格納してあるメニュー画像を読み出してテレビ接続部１６へ出力し、図８に示すようなメニュー画像を液晶テレビ３に表示させる（Ｓ１２）。
【００７８】
制御部１０は、図８に示すメニュー画像に従ってユーザによって決定キーが操作されたか否かを判断しており（Ｓ１３）、決定キーが操作されていない場合（Ｓ１３：ＮＯ）、図８に示すメニュー画像の表示を継続する（Ｓ１２）。制御部１０は、決定キーが操作されたと判断した場合（Ｓ１３：ＹＥＳ）、音楽プレーヤ４の記録媒体４２に記録してある各音楽データのタイトルを音楽プレーヤ４から取得する（Ｓ１４）。表示処理装置１の制御部１０は、音楽プレーヤ４から取得した各タイトルを、図８に示すメニュー画像からユーザが選択したフォントサイズ及び該フォントサイズに応じた個数に従って表示したメニュー画像を作成し（Ｓ１５）、作成したメニュー画像をテレビ接続部１６へ出力し、図９（ｂ）又は図１０（ｂ）に示すようなメニュー画像を液晶テレビ３に表示させる（Ｓ１６）。
【００７９】
制御部１０は、図９（ｂ）又は図１０（ｂ）に示すメニュー画像に従ってユーザが決定キーを操作することによって再生すべき音楽データが選択されたか否かを判断しており（Ｓ１７）、選択されていないと判断した場合（Ｓ１７：ＮＯ）、図９（ｂ）又は図１０（ｂ）に示すメニュー画像の表示を継続する（Ｓ１６）。制御部１０は、再生すべき音楽データが選択されたと判断した場合（Ｓ１７：ＹＥＳ）、ユーザによって選択された音楽データを音楽プレーヤ４から取得し（Ｓ１８）、取得した音楽データをテレビ接続部１６へ出力する（Ｓ１９）。液晶テレビ３は、表示処理装置１から取得した音楽データをスピーカ３１ａ，３１ｂで再生させる。
【００８０】
上述した実施形態２では、音楽プレーヤ４に記録してある音楽データを液晶テレビ３のスピーカ３１ａ，３１ｂで再生させる構成について説明したが、スピーカを有する外部のオーディオ装置と表示処理装置１とを有線又は無線で接続し、音楽プレーヤ４に記録してある音楽データをオーディオ装置で再生させる際に、各音楽データのタイトルを液晶テレビ３の表示部３０に表示させる構成とすることもできる。
【００８１】
また、音楽データと共に各音楽データのジャケット画像を記録媒体４２に記録できるように音楽プレーヤ４を構成した場合に、各音楽データのタイトルと共にジャケット画像を表示したメニュー画像を液晶テレビ３に表示させることができる。この場合には、上述した実施形態１と同じ処理によってジャケット画像の表示サイズを適宜変更すると共に、上述した実施形態２の処理によって各音楽データのタイトルのフォントサイズを適宜変更することができる。
【００８２】
更に、上述した実施形態１のカメラ２を、画像信号と共に各画像信号の撮影日時を記録媒体２５に記録できるように構成した場合には、表示サイズを適宜変更されたサムネイルと共に、フォントサイズを適宜変更された撮影日時とを表示したメニュー画像を液晶テレビ３に表示させることができる。
【００８３】
（実施形態３）
上述した実施形態１又は２では、液晶テレビ３に表示させるサムネイルの表示サイズ又は音楽データのタイトルのフォントサイズを、図３又は図８に示すメニュー画像からユーザが選択する構成の表示システムについて説明した。以下の実施形態３では、表示処理装置１が、表示装置の種類に応じて各表示装置との接続を行なう接続部を複数有しており、液晶テレビ３が接続された接続部に応じてサムネイルの表示サイズ（表示条件）を変更する構成の表示システムについて説明する。
【００８４】
図１２は実施形態３の表示システムの構成例を示すブロック図である。なお、本実施形態３のリモコン装置１ａ、カメラ２及び液晶テレビ３については、上述した実施形態１と同様の構成であるため説明を省略する。また、本実施形態３の表示処理装置１において、上述した実施形態１と同様の構成については同一の符号を付して説明を省略する。
【００８５】
実施形態３の表示処理装置１は、上述した実施形態１の表示処理装置１と同様に、制御部１０、ＲＯＭ１１、ＲＡＭ１２、操作部１３、画像処理部１４、ＵＳＢ接続部１５、リモコンコード解析部１７、赤外線受光部１８を備えている。更に、実施形態３の表示処理装置１は、液晶テレビ（表示装置）３との接続を行なう複数の第１テレビ接続部１６ａ、第２テレビ接続部１６ｂ、第３テレビ接続部１６ｃを備えており、それぞれはシステムバス１０ａを介して相互に接続されている。
【００８６】
第１テレビ接続部１６ａ、第２テレビ接続部１６ｂ、第３テレビ接続部１６ｃはそれぞれ仕様が異なる接続部であり、表示処理装置１に接続すべき液晶テレビ３の種類に応じてそれぞれ対応する接続部（第１テレビ接続部１６ａ、第２テレビ接続部１６ｂ又は第３テレビ接続部１６ｃ）に液晶テレビ３が接続される。液晶テレビ３との接続を行なう接続部としては、アナログの映像信号を液晶テレビ３へ送出するためのＳ端子、デジタルの映像信号を液晶テレビ３へ送出するためのＤ１端子、Ｄ２端子、Ｄ３端子、ＨＤＭＩ端子等があり、例えば第１テレビ接続部１６ａがＳ端子を有し、第２テレビ接続部１６ｂがＤ１端子を有し、第３テレビ接続部１６ｃがＨＤＭＩ端子を有している。
【００８７】
また、本実施形態３の表示処理装置１は、図１３に示すような、液晶テレビ３との接続部のそれぞれにサムネイルの表示サイズを対応付けて登録してある表示サイズテーブルをＲＯＭ１１に予め格納してある。なお、サムネイルの表示サイズは、「大きめ」、「普通」、「小さめ」として登録してある。また、この表示サイズテーブルの登録内容を、ユーザが表示処理装置１の操作部１３又はリモコン装置１ａを適切に操作することによって変更できるようにしてもよい。
【００８８】
上述した構成の本実施形態３の表示システムにおいて、表示処理装置１が、ユーザがリモコン装置１ａを操作することによってカメラ２の記録媒体２５に記録してある画像信号を液晶テレビ３で再生させる指示を受け付けた場合、制御部１０は、この時点で液晶テレビ３と接続されている接続部を検出する検出手段として動作する。図１２では第１テレビ接続部１６ａが液晶テレビ３と接続されており、制御部１０は、液晶テレビ３と接続されている接続部を第１テレビ接続部１６ａであると検出し、検出した第１テレビ接続部１６ａに対応するサムネイルの表示サイズを表示サイズテーブルに基づいて特定する特定手段として動作する。
【００８９】
制御部１０は、表示サイズテーブルに基づいてサムネイルの表示サイズを特定した場合、カメラ２の記録媒体２５に記録してある各画像信号のサムネイルをカメラ２から取得し、取得した各サムネイルを、特定した表示サイズ及び該表示サイズに応じた個数に従って表示したメニュー画像を作成し、作成したメニュー画像を第１テレビ接続部１６ａへ出力して液晶テレビ３に表示させる。これにより、図４（ｂ）又は図５（ｂ）に示すようなメニュー画像を液晶テレビ３に表示させることができる。また図４（ｂ）又は図５（ｂ）に示すメニュー画像において、ユーザが決定キーを操作した場合、制御部１０は、ユーザによって選択された画像信号をカメラ２から取得し、取得した画像信号をテレビ接続部１６へ出力して液晶テレビ３で再生させることができる。
【００９０】
このように、液晶テレビ３に接続された接続部に基づいて液晶テレビ３に表示させるサムネイルの表示サイズを適切に変更することにより、異なる解像度又は画面サイズの液晶テレビ３のそれぞれに対してサムネイルを見易く表示することができると共に、接続される各種の液晶テレビ３における表示性能を十分に活用することができる。
【００９１】
以下に、実施形態３の表示システムにおいて、カメラ２の記録媒体２５に記録してある各画像信号を液晶テレビ３で再生させる処理についてフローチャートを参照しながら説明する。図１４は実施形態３の表示システムによる画像信号の再生処理の手順を示すフローチャートである。なお、処理手順は一例でありこれに限るものではない。また、以下の処理は、表示処理装置１のＲＯＭ１１に格納されている制御プログラムに従って制御部１０が実行する。
【００９２】
実施形態３の表示処理装置１において、制御部１０は、ユーザがリモコン装置１ａを操作することによってカメラ２の記録媒体２５に記録してある画像信号の再生指示を受け付けたか否かを判断しており（Ｓ２１）、受け付けていない場合（Ｓ２１：ＮＯ）、通常動作を行なって待機する。制御部１０は、再生指示を受け付けたと判断した場合（Ｓ２１：ＹＥＳ）、この時点で液晶テレビ３と接続されている接続部を検出し（Ｓ２２）、検出した接続部に対応するサムネイルの表示サイズを表示サイズテーブルに基づいて特定する（Ｓ２３）。
【００９３】
次に制御部１０は、カメラ２の記録媒体２５に記録してある各画像信号のサムネイルをカメラ２から取得し（Ｓ２４）、取得した各サムネイルを、ステップＳ２３で特定した表示サイズ及び該表示サイズに応じた個数に従って表示したメニュー画像を作成する（Ｓ２５）。制御部１０は、作成したメニュー画像をテレビ接続部１６へ出力し、図４（ｂ）又は図５（ｂ）に示すようなメニュー画像を液晶テレビ３に表示させ（Ｓ２６）、図４（ｂ）又は図５（ｂ）に示すメニュー画像に従ってユーザが決定キーを操作することによって再生すべき画像信号が選択されたか否かを判断する（Ｓ２７）。
【００９４】
制御部１０は、再生すべき画像信号が選択されていないと判断した場合（Ｓ２７：ＮＯ）、図４（ｂ）又は図５（ｂ）に示すメニュー画像の表示を継続し（Ｓ２６）、再生すべき画像信号が選択されたと判断した場合（Ｓ２７：ＹＥＳ）、ユーザによって選択された画像信号をカメラ２から取得し（Ｓ２８）、取得した画像信号をテレビ接続部１６へ出力して液晶テレビ３に表示させる（Ｓ２９）。
【００９５】
上述した実施形態３では、液晶テレビ３に表示させるサムネイルの表示サイズを、液晶テレビ３に接続された接続部に応じて変更する構成の表示システムについて説明したが、実施形態２で示したように音楽データのタイトルのフォントサイズを変更するように構成することもできる。この場合、表示処理装置１は、液晶テレビ３との接続部のそれぞれに音楽データのタイトルのフォントサイズを対応付けて登録してあるフォントサイズテーブルをＲＯＭ１１に予め格納しておく。そして、制御部１０が、液晶テレビ３に接続された接続部に対応するフォントサイズをフォントサイズテーブルに基づいて特定し、特定したフォントサイズで表示されるタイトルを含むメニュー画像を実施形態２で説明した処理によって作成すればよい。
【００９６】
上述した各実施形態では、液晶テレビ３に表示させるサムネイルの表示サイズ、文字データ（音楽データのタイトル）のフォントサイズを変更する構成についてそれぞれ説明したが、これらに限られず、液晶テレビ３に表示させる表示用データにおける各種表示条件を適宜変更する構成とすることもできる。
【００９７】
また、上述した各実施形態では、ユーザがリモコン装置１ａを操作することによってカメラ２の記録媒体２５に記録してある画像信号の再生指示又は音楽プレーヤ４の記録媒体４２に記録してある音楽データのスピーカ３１ａ，３１ｂでの再生指示を行なった場合に、液晶テレビ３に表示させるサムネイルの表示サイズ又は音楽データのタイトルのフォントサイズを選択する構成について説明した。液晶テレビ３と接続されている表示処理装置１において、カメラ２又は音楽プレーヤ４との接続を検出した場合に、液晶テレビ３に表示させるサムネイルの表示サイズ又は音楽データのタイトルのフォントサイズを選択する構成とすることもできる。
【図面の簡単な説明】
【００９８】
【図１】本発明の表示処理装置を用いた表示システムの構成例を示す模式図である。
【図２】実施形態１の表示システムの構成例を示すブロック図である。
【図３】液晶テレビに表示されるメニュー画像の構成例を示す模式図である。
【図４】実施形態１の表示処理装置による効果を説明するための模式図である。
【図５】実施形態１の表示処理装置による効果を説明するための模式図である。
【図６】実施形態１の表示システムによる画像信号の再生処理の手順を示すフローチャートである。
【図７】実施形態２の表示システムの構成例を示すブロック図である。
【図８】液晶テレビに表示されるメニュー画像の構成例を示す模式図である。
【図９】実施形態２の表示処理装置による効果を説明するための模式図である。
【図１０】実施形態２の表示処理装置による効果を説明するための模式図である。
【図１１】実施形態２の表示システムによる音楽データの再生処理の手順を示すフローチャートである。
【図１２】実施形態３の表示システムの構成例を示すブロック図である。
【図１３】表示サイズテーブルの構成例を示す模式図である。
【図１４】実施形態３の表示システムによる画像信号の再生処理の手順を示すフローチャートである。
【符号の説明】
【００９９】
１  表示処理装置
１０  制御部（出力手段、受付手段、作成手段、検出手段、特定手段）
１６  テレビ接続部（接続部）
２  カメラ
３  液晶テレビ（表示装置）
４  音楽プレーヤ
１６ａ  第１テレビ接続部（接続部）
１６ｂ  第２テレビ接続部（接続部）
１６ｃ  第３テレビ接続部（接続部）
【図１】
2006295652.tif 000003
【図２】
2006295652.tif 000004
【図３】
2006295652.tif 000005
【図４】
2006295652.tif 000006
【図５】
2006295652.tif 000007
【図６】
2006295652.tif 000008
【図７】
2006295652.tif 000009
【図８】
2006295652.tif 000010
【図９】
2006295652.tif 000011
【図１０】
2006295652.tif 000012
【図１１】
2006295652.tif 000013
【図１２】
2006295652.tif 000014
【図１３】
2006295652.tif 000015
【図１４】
2006295652.tif 000016